(57)【要約】  本発明は、セル内の利用可能なダウンリンク無線リソースの全てまたは一部が送信される、ＯＦＤＭＡシステム内でのＵＥパフォーマンステストを実行するための方法に関する。上記方法は、送信のために使用される上記リソースを周波数領域内で連続する単位に分割するステップを含む。上記分割により、１つ以上の上記単位は１つ以上のテスト対象ＵＥに割り当てられるリソースからなり、少なくとも１つの上記単位は仮想ユーザに割り当てられるリソースからなる。本発明は、上記方法を実行可能なネットワークノード内の構成にも関する。【選択図】図１
2011524143.tif 000002
【特許請求の範囲】
【請求項１】
セル内の利用可能なダウンリンク無線リソースの全てまたは一部が送信される、ＯＦＤＭＡシステム内でのＵＥパフォーマンステストを実行するための方法であって、
送信のために使用される前記リソースを周波数領域内で連続する単位（１０１、１０２、１０３、２０１、２０２、２０３）に分割するステップ（３０２、４０２、５０２）であって、１つ以上の前記単位は１つ以上のテスト対象ＵＥ（６０３）に割り当てられるリソースからなり、少なくとも１つの前記単位は仮想ユーザ（６０４）に割り当てられるリソースからなる、前記ステップ
を特徴とする、方法。
【請求項２】
利用可能なセル帯域幅の中央にあるリソースの１つ以上の連続する単位（１０２）が前記１つ以上のテスト対象ＵＥ（６０３）に割り当てられ、前記セル帯域幅の端にあるリソースの１つ以上の連続する単位（１０１）が仮想ユーザ（６０４）に割り当てられるように、前記リソースを分割する前記ステップを含む、請求項１に記載の方法。
【請求項３】
前記セル帯域幅の端にあるリソースの１つ以上の連続する単位（２０２）が前記１つ以上のテスト対象ＵＥ（６０３）に割り当てられ、利用可能なセル帯域幅の中央にあるリソースの１つ以上の連続する単位（２０１）が仮想ユーザ（６０４）に割り当てられるように、前記リソースを分割する前記ステップを含む、請求項１に記載の方法。
【請求項４】
前記仮想ユーザに利用可能なリソースの前記連続する単位（１０１、２０１）のうち１つのリソースブロックが前記仮想ユーザ（６０４）の各々に割り当てられる、請求項１から３のいずれかに記載の方法。
【請求項５】
前記仮想ユーザ（６０４）に割り当てられるリソースについてＱＰＳＫ変調が使用される、請求項１から４のいずれかに記載の方法。
【請求項６】
ＭＩＭＯが用いられる場合に、前記仮想ユーザ（６０４）への前記送信は無相関である送信されるアンテナを介して実行される、請求項１から５のいずれかに記載の方法。
【請求項７】
ＭＩＭＯが用いられる場合に、前記仮想ユーザ（６０４）への前記送信は、前記１つ以上のテスト対象ＵＥ（６０３）について使用されるものと同一のＭＩＭＯ送信方式を介しおよび同一の相関モデルを用いて実行される、請求項１から５のいずれかに記載の方法。
【請求項８】
前記１つ以上のテスト対象ＵＥ（６０３）および前記仮想ユーザ（６０４）へのリソースの前記割り当てはそれぞれ固定されている、請求項１から７のいずれかに記載の方法。
【請求項９】
前記１つ以上のテスト対象ＵＥ（６０３）に割り当てられるリソースをＰＤＳＣＨ上で送信するステップを含む、請求項１から８のいずれかに記載の方法。
【請求項１０】
前記方法は、システムシミュレータのようなテスト機器（６００）により実行される、請求項１から９のいずれかに記載の方法。
【請求項１１】
前記方法は、ＯＦＤＭシステムの中で動作可能な基地局（６００）により実行される、請求項１から９のいずれかに記載の方法。
【請求項１２】
利用可能なダウンリンク無線リソースの全てまたは一部が送信される、ＯＦＤＭＡシステム内でのＵＥパフォーマンステストを実行可能なノード（６００）内の構成であって、
送信される前記リソースを周波数領域内で連続する単位（１０１、１０２、１０３、２０１、２０２、２０３）に分割するためのアルゴリズムを実行可能な処理部（６０１）であって、１つ以上の前記単位は１つ以上のテスト対象ＵＥ（６０３）に割り当てられるリソースからなり、少なくとも１つの前記単位は仮想ユーザ（６０４）に割り当てられるリソースからなる、処理部（６０１）、
を特徴とする、構成。
【請求項１３】
前記処理部は、利用可能なセル帯域幅の中央にあるリソースの１つ以上の連続する単位（１０２）が前記１つ以上のテスト対象ＵＥ（６０３）に割り当てられ、前記セル帯域幅の端にあるリソースの１つ以上の連続する単位（１０１）が仮想ユーザ（６０４）に割り当てられるように前記リソースを分割するように構成される、請求項１４に記載の構成。
【請求項１４】
前記処理部は、前記セル帯域幅の端にあるリソースの１つ以上の連続する単位（２０２）が前記１つ以上のテスト対象ＵＥ（６０３）に割り当てられ、利用可能なセル帯域幅の中央にあるリソースの１つ以上の連続する単位（２０１）が仮想ユーザ（６０４）に割り当てられるように前記リソースを分割するように構成される、請求項１２に記載の構成。
【請求項１５】
前記処理部（６０１）は、前記仮想ユーザに利用可能なリソースの前記連続する単位（１０１、２０１）のうち１つのリソースブロックを前記仮想ユーザ（６０４）の各々に割り当てるように構成される、請求項１２から１４のいずれかに記載の構成。
【請求項１６】
前記処理部（６０１）は、前記仮想ユーザ（６０４）に割り当てられるリソースについてＱＰＳＫ変調を使用するように構成される、請求項１２から１５のいずれかに記載の構成。
【請求項１７】
送信器６０２は、ＭＩＭＯが用いられる場合に無相関である送信されるアンテナを介して前記仮想ユーザ（６０４）に送信するように構成される、請求項１２から１６のいずれかに記載の構成。
【請求項１８】
送信器６０２は、ＭＩＭＯが用いられる場合に前記１つ以上のテスト対象ＵＥ（６０３）について使用されるものと同一のＭＩＭＯ送信方式を介しおよび同一の相関モデルを用いて前記仮想ユーザ（６０４）に送信するように構成される、請求項１２から１６のいずれかに記載の構成。
【請求項１９】
前記処理部は（６０１）は、固定的な手法で前記１つ以上のテスト対象ＵＥ（６０３）および前記仮想ユーザ（６０４）にリソースを割り当てるように構成される、請求項１２から１８のいずれかに記載の構成。
【請求項２０】
前記１つ以上のテスト対象ＵＥ（６０３）に割り当てられるリソースをＰＤＳＣＨ上で送信するように構成される送信器（６０２）を含む、請求項１２から１９のいずれかに記載の構成。
【請求項２１】
前記ノード（６００）はシステムシミュレータのようなテスト機器である、請求項１２から２０のいずれかに記載の構成。
【請求項２２】
前記ノード（６００）はＯＦＤＭシステムの中で動作可能な基地局である、請求項１２から２０のいずれかに記載の構成。
【発明の詳細な説明】
【技術分野】
【０００１】
本発明は、ＯＦＤＭＡシステム内でのＵＥパフォーマンステストに関する。
【背景技術】
【０００２】
様々な種類のユーザ機器（ＵＥ）のパフォーマンス要件が標準の中で明示されている。ＵＥがこれらの要件を満たすことを保証するために、適切でかつ関連するテストケースも明示されている。テストの間に、全てのダウンリンク無線リソースがテスト対象ユーザに典型的に必要であるわけではない。実際の環境では、様々なユーザがセル内の様々なリソース上で信号を同時に受信する。可能な限りテストを現実的にするために、これらの残りのチャネルまたは無線リソースは、セル内の他のユーザへの送信を模倣する手法で送信されるべきである。
【０００３】
ＵＥパフォーマンス検証（またはいわゆるＵＥパフォーマンステスト）の目的は、ＵＥが所定のシナリオ、状態およびチャネル環境の中で求められるパフォーマンス要件を満たすかを検証することである。求められるパフォーマンス要件は、標準で明示され、または運用者若しくは見込み客により要求される、要件を意味する。パフォーマンス要件は、以下のような非常に広い範囲のＵＥ要件に及ぶ。
・例えば受信器の感度のような、ＵＥのＲＦ受信器要件
・例えばＵＥの送信電力の正確性のような、ＵＥのＲＦ送信器要件
・例えば達成可能なスループットのような、ＵＥの復調要件
・例えばハンドオーバ遅延時間のような、無線リソース管理要件
我々は、ＵＥ検証を２つのカテゴリに分類できる：
・研究室内での検証
・実際のネットワーク内での検証
【０００４】
（研究室内での検証）
研究室内での検証では、基地局はテスト機器によりエミュレートされる。当該テスト機器はしばしばシステムシミュレータと呼ばれる。したがって、全てのダウンリンク送信はテスト機器によりテストＵＥへ行われる。テストの間に、全ての共通チャネルおよび他の必要なＵＥ固有の制御チャネルがテスト機器により送信される。加えて、例えばＥ−ＵＴＲＡＮ内のＰＤＳＣＨのようなデータチャネルも、必要なデータを送信し、ＵＥを構成する必要がある。さらに、典型的にはただ１つのＵＥが同時にテストされる。最も典型的なテストケースでは、利用可能なダウンリンクリソース全体がＵＥにより使用されるわけではない。しかしながら、テストを現実的にするために、残りのダウンリンクリソースも１または複数の仮想ユーザに送信されえるべきである。
【０００５】
ＯＦＤＭＡシステムでは、送信リソースは、リソースブロックと呼ばれる時間周波数リソースからなる。当該時間周波数リソースはある送信電力レベルで送信される。Ｅ−ＵＴＲＡＮダウンリンク送信に関する節を参照されたい。ＯＦＤＭＡ内で負荷を生成するためのこの種類のリソース割り当ては、以下でＯＦＤＭチャネルノイズジェネレータ（ＯＣＮＧ）と呼ばれる。したがって、ＯＣＮＧは、セルに負荷をかけるために複数の仮想ユーザに送信される。
【０００６】
（実際のネットワーク内での検証）
これらの種類のテストは、運用者により要求され、実際のネットワーク内で実行される。テストは、唯一または複数のＵＥを含み得る。ネットワークのロールアウトの前、または設置の初期段階では、トラフィック負荷は典型的に非常に低い。古典的なテストでは、セルの負荷は、１つ以上の共通チャネルの送信電力を上げることにより生成される。しかしながら、運用者は、現在、テストの実行について現実的な手法によりセルの負荷を生成することをネットワークベンダに次第に要求している。テストユーザに割り当てられないリソースが、セル内の負荷をエミュレートする仮想ユーザに割り当てられるべきであることを、これは意味する。したがって、利用可能なリソース、すなわちチャネル、送信電力等の全部または大部分のいずれかが、テストの中で使用される。これは、負荷を生成するために残りのリソースを送信する機能を実装することを基地局に要求する。したがって、ＯＦＤＭＡ（すなわちＥ−ＵＴＲＡＮ）について、ＯＣＮＧが実際の基地局でも実装されるとみなされる。
【０００７】
（ＵＥパフォーマンス検証のためのＷＣＤＭＡにおけるノイズの生成）
ＷＣＤＭＡでは、直交チャネルノイズシミュレータ（ＯＣＮＳ）がテストの中でセルに負荷をかけるために使用される。ＯＣＮＳは、テスト機器内および場合により基地局内にも実装される。前者の場合は、ＯＣＮＳは、各種テストまたは類似するテストのためにＴＳ  ２５．１０１およびＴＳ  ２５．１３３の中で標準化されている。ＯＣＮＳは、チャネライゼーションコードおよび相対電力を含む。ＣＤＭＡシステムでは、コードツリー内におけるチャネライゼーションコードの位置はセル内干渉に影響されやすい。したがって、ＯＣＮＳのためのコードおよびその電力レベルをより慎重に選択することが必要である。ＵＥ復調テストについてのＴＳ２５．１０１からのＯＣＮＳの例が以下に引用される。
【０００８】
【表１】
2011524143.tif 000003
【０００９】
（Ｅ−ＵＴＲＡＮダウンリンク送信）
Ｅ−ＵＴＲＡＮでは、直交周波数分割多重方式（ＯＦＤＭＡ）技術がダウンリンク内で用いられる。ＤＦＴベースのプリコーディングを行われるＯＦＤＭ（DFT  based  pre-coded  OFDM）が用いられる。Ｅ−ＵＴＲＡＮでは、セル送信帯域幅は、多数の時間周波数リソースに分割される。これらのリソースのほとんどはリソースブロックからなる。リソースブロックは、時間領域内の０．５ｍｓ（タイムスロット）および１２個のサブキャリアからなる。各サブキャリアは、周波数領域内の１５ｋＨｚである。しかしながら、例えばＳＣＨチャネル（プライマリ同期シーケンス）のような共通チャネルまたはリファレンスシンボルのために使用される一部のリソースは、各サブフレーム内の時間領域における１つ以上のＯＦＤＭシンボル上で送信される。ＰＣＦＩＣＨ、ＰＨＩＣＨおよびＰＤＣＣＨのような他の制御信号も、各サブフレーム内の固有のＯＦＤＭＡシンボルの中で送信される。リソースブロックは、送信されるユーザデータまたは例えばペーシング、システム情報等の一部の制御シグナリングのために使用される。
【００１０】
さらに、Ｅ−ＵＴＲＡＮは、純粋にパケットデータ用に設計されたセルラーシステムである。当該システムでは、アップリンクおよびダウンリンクでのユーザデータの送信は常に共有チャネルを介して行われる。ＵＴＲＡＮにおけるＨＳＰＡと同様に、ＵＥは、物理ダウンリンク共通チャネル（ＰＵＳＣＨ）上のＵＥのためのユーザデータにアクセスするために物理ダウンリンク制御チャネル（ＰＤＣＣＨ）を監視する。ネットワークは、要求に基づいて、物理アップリンク制御チャネル（ＰＵＣＣＨ）および物理アップリンク共通チャネル（ＰＵＳＣＨ）を介したアップリンク送信についてのアップリンクスケジューリング許可をＵＥに割り当てる。エラー検出は、トランスポートブロックおよび制御ペイロード上で、ＰＤＳＣＨおよびＰＵＳＣＨ上での巡回冗長検査（ＣＲＣ）を通じて提供され、ＨＡＲＱ動作が効率的な再送信を保証する。Ｅ−ＵＴＲＡＮでは、ダウンリンク送信電力制御（ＴＰＣ）は明示されておらず、アップリンクＴＰＣコマンドはＰＤＣＣＨにマッピングされる制御ペイロードの中に組み込まれる。ＰＤＣＣＨは、時々または頻繁にＥ−ＵＴＲＡＮ基地局（ｅＮｏｄｅＢ）により送信される。
【００１１】
（Ｅ−ＵＴＲＡＮにおけるダウンリンク物理信号およびチャネル）
Ｅ−ＵＴＲＡＮのダウンリンクにおける物理レイヤの信号およびチャネルは、以下のとおりである：
・物理レイヤ信号、すなわちリファレンス信号（パイロット）および同期信号
・物理報知チャネル（ＰＢＣＨ）
・ＰＤＣＣＨおよびＰＤＳＣＨ
・物理制御フォーマットインジケータチャネル（ＰＣＦＩＣＨ）
・物理ＨＡＲＱインジケータチャネル（ＰＨＩＣＨ）
以下の事項が観察され得る。
・物理レイヤ信号およびＰＢＣＨは、周期的に送信される；
・ＰＢＣＨおよびＰＤＳＣＨにマッピングされるトランスポートブロックのＣＲＣ、およびＰＤＣＣＨにマッピングされる制御データのＣＲＣを介したエラー検出；
・アップリンク送信には、物理チャネルのＰＤＣＣＨおよびＰＨＩＣＨを通じたダウンリンクの応答をもたらすものもあるだろう。
【００１２】
セルの負荷は、ＷＣＤＭＡ、ＵＴＲＡＮ  ＴＤＤまたは他のＣＤＭＡシステムの中でＯＣＮＳにより生成される。無線インターフェースはセル内干渉の影響がより小さいＯＦＤＭＡ技術に基づくため、同様の概念はＥ−ＵＴＲＡＮの中では必要ない。しかし、それでも、送信器および受信器の不完全性に起因してセル内干渉に寄与するサブキャリア全域にわたって一部漏れがある。しかしながら、セル内干渉は直交しておらず、したがってセル内干渉はＣＤＭＡ内のようにＯＦＤＭＡ内でまだ多大であり得る。現在、ＵＥパフォーマンステストを実行するためにどのようにセルの負荷を生成するかについてのルールは、ＯＦＤＭＡシステムについて利用できない。
【発明の概要】
【００１３】
したがって、本発明の目的は、現実的な手法でかつ適切に定義される原理に従ってＵＥテストを実行するために、ダウンリンク内でＯＦＤＭＡ技術に基づき、セルに負荷をかけるためのルールまたはテスト機器を定義することである。
【００１４】
本発明の第１の形態は、セル内の利用可能なダウンリンク無線リソースの全てまたは一部が送信される、ＯＦＤＭＡシステム内でのＵＥパフォーマンステストを実行するための方法に関する。当該方法は、送信のために使用される上記リソースを周波数領域内で連続する単位に分割するステップであって、１つ以上の上記単位は１つ以上のテスト対象ＵＥに割り当てられるリソースからなり、少なくとも１つの上記単位は仮想ユーザに割り当てられるリソースからなる、上記ステップを含む。
【００１５】
テスト対象ＵＥはＵＥ固有のチャネルのみをデコードし、仮想ユーザのために使用されるチャネルをデコードしないため、送信されるリソースの分割は、デコードが複雑さを低減されることを意味する。したがって、本発明のこの形態に従った方法は、テスト対象ＵＥについて割り当てられるリソースとＯＣＮＧユーザについて割り当てられるリソースとを周波数領域内のそれぞれ別々の単位に分割することを伴う。そして上記方法は、複雑さおよびテストを実行するＵＥ上への制約が小さいことを示す特定のルールを適用することにより、テストの実行に対する一貫性を提供する。
【００１６】
ここで、「連続する（"contiguous"）」という用語は、連続した（consecutive）、すなわち連続的な（continuous）各単位内の構成という意味を有する。
【００１７】
本発明のある特定の実施形態では、利用可能なセル帯域幅の中央にあるリソースの１つ以上の連続する単位が上記１つ以上のテスト対象ＵＥに割り当てられ、上記セル帯域幅の端にあるリソースの１つ以上の連続する単位が仮想ユーザに割り当てられるように、リソースが分割される。
【００１８】
別のある特定の実施形態では、上記セル帯域幅の端にあるリソースの１つ以上の連続する単位が上記１つ以上のテスト対象ＵＥに割り当てられ、利用可能なセル帯域幅の中央にあるリソースの１つ以上の連続する単位が仮想ユーザに割り当てられるように、リソースが分割される。
【００１９】
本発明の第２の形態は、利用可能なダウンリンク無線リソースの全てまたは一部が送信される、ＯＦＤＭＡシステム内でのＵＥパフォーマンステストを実行可能なノード内の構成に関する。上記構成は、送信される上記リソースを周波数領域内で連続する単位に分割するためのアルゴリズムを実行可能な処理部であって、１つ以上の上記単位は１つ以上のテスト対象ＵＥに割り当てられるリソースからなり、少なくとも１つの前記単位は仮想ユーザに割り当てられるリソースからなる、処理部を含む。
【００２０】
セルに負荷をかけるためのＯＣＮＧユーザを制御するルールは、全テストについての標準で仕様化され得る。また、当該ルールは、テスト機器内で実装されるべきである。上記ルールは、実際のネットワーク内での運用者固有のテストまたは標準化されたテストを検証するために実際の基地局でも実装され得る。
【００２１】
したがって、本発明の上記第２の形態に従ったノードは、例えば、システムシミュレータのようなテスト機器、またはｅＮｏｄｅＢ（Evolved  NodeB）のようなＯＦＤＭシステム内で動作可能な無線基地局であり得る。
【００２２】
本発明の他の目的、有利な点または新規の特徴は、添付の図面および特許請求の範囲とともに考えられると、本発明の以下の詳細な説明から明らかになるであろう。
【図面の簡単な説明】
【００２３】
上記および他の目的、特徴および本発明の有利な点は、図面で説明されるような好ましい実施形態の以下の詳細な説明から明らかである。
【図１】セル送信帯域幅の端におけるＯＣＮＧの割り当てを説明する。
【図２】セル送信帯域幅の中央におけるＯＣＮＧの割り当てを説明する。
【図３】本発明の第１の実施形態に従った方法を説明する。
【図４】本発明の第２の実施形態に従った方法を説明する。
【図５】本発明の第３の実施形態に従った方法を説明する。
【図６】本発明の実施形態を実行可能なノードを説明する。
【発明を実施するための形態】
【００２４】
本発明は、本発明の実施形態の以下の限定されない説明の中で例示され得る。典型的には、テスト対象ＵＥがパフォーマンス要件を満たすかを検証するために、ただ１つのＵＥが研究室内で同時にテストされる。実際のネットワーク内でテストが実行される場合、１つまたは複数のＵＥがあり得るが、いかなる場合にも全セルリソースが実際に使用されることはほとんどない。したがって、研究室でのテストまたは実際のネットワークでのテストの両方の中で、セルに負荷をかけ、それにより実際のネットワークで見られる現実的なシナリオを模倣するために、使用されないリソースは存在しない仮想ＵＥに送信される。本発明の目的は、ＯＦＤＭＡシステム内でのＵＥパフォーマンス要件を検証する場合に、テストＵＥおよび仮想ＵＥの両方に送信するために使用され得るルールを定義することである。順序の言葉では、ルールは、テストユーザとＯＣＮＧユーザとの間でのＯＦＤＭＡセル送信リソースの分割を定義すべきである。本発明の実施形態によると、テスト対象ＵＥおよび仮想ユーザに割り当てられるリソースが、連続する単位に分割される。テスト対象ＵＥは、ＯＣＮＧチャネルをデコードしないが、ＰＤＳＣＨのようなＵＥ固有のチャネル、および例えばＰＤＳＣＨ上にマッピングされるペーシングのような他のＵＥ固有のチャネルのみデコードしなければならない。ＯＣＮＧ、すなわち仮想ユーザの目的は、現実的なテスト環境を作り出すためにセルに負荷をかけることのみであり、例えばＰＤＳＣＨのようなＵＥ固有のチャネルのデコードに対して複雑さを増大させることではない。そのような不要な複雑さは、テストの実行自体とは関連しないＵＥ上へのさらなる制約を与えるであろう。テストの実行のために、テストに関連しない影響からテスト環境を分離することが望ましい。不要な複雑さは、テストの目的が失われるというテスト対象ＵＥについての問題を引き起こし得る。したがって、テストが何の役にも立たないであろう。さらに、ランダムに生成され分配された、テスト対象ＵＥに割り当てられるリソースの構成も、一貫性のないテスト結果につながり得る。
【００２５】
図３は、本発明の実施形態に従った方法を説明する。当該方法は、例えば基地局またはシステムシミュレータのような送信部により実行される。テストの実行がステップ３０１で開始される。ステップ３０２では、テスト内で送信されるべきリソースは、ある連続する単位はテスト対象ＵＥに割り当てられ、ある他の連続する単位はＯＣＮＧユーザとも呼ばれる仮想ユーザに割り当てられるように、周波数領域内で分割される。ステップ３０３では、送信部は、その後上記分割に従って送信する。
【００２６】
以下に説明される実施形態は、研究室内での検証テストおよび実際のネットワーク内での検証テストに適用する。
【００２７】
本発明の実施形態によると、全ての利用可能なリソース（すなわち基地局を模倣するテスト機器、または実際のネットワークでのテストの場合には実際の基地局）が、３つの主要グループＸ、ＹおよびＺに分割される。上記リソースは、以下のように割り当てられる：
・グループＸのリソースは共通チャネルに割り当てられる。時間周波数領域内の当該チャネルの位置は指定される。共有チャネルの例は、ＳＣＨ、ＰＢＣＨ、リファレンスシンボル、ＰＣＦＩＣＨ、ＰＤＣＣＨ等である。
・グループＹのリソースは、テストユーザに割り当てられる。
・グループＺのリソースは、確かにＯＣＮＧであり、ＯＣＮＧユーザとも呼ばれる仮想ユーザに割り当てられる。
【００２８】
共通チャネルの割り当ては標準の中で既によく定義されているため、ここで説明される実施形態は、グループＹすなわちテストユーザに割り当てられるリソースと、グループＺすなわちＯＣＮＧユーザに割り当てられるリソースとの間で、セルリソースがどのように分割されるかに焦点を合わせる。
【００２９】
ハンドオーバまたはセルの再選択に関連するテストのような無線リソース管理（ＲＲＭ）のテストでは、典型的には、２つ以上のセルが使用される。例えば、当該セルのうちの１つがターゲットセルである。グループＹ、すなわちテストユーザに割り当てられるリソースは、この場合初期セルまたはサービングセルを介してＵＥを構成するために使用される。これは、特殊なケースとしていくつかのＲＲＭテストに関連する１つ以上のセル内でＹグループが０となり得ることを意味する。
【００３０】
具体的な一実施形態によると、ＯＣＮＧユーザはセル帯域幅の端にあるリソースブロックを割り当てられ、一方でテストユーザはセル送信帯域幅の中央にあるリソースブロック（すなわちグループＹ）を連続するように割り当てられるように、リソースが割り当てられる。典型的には、ＳＣＨ、ＰＢＣＨ、リファレンスシンボル、ＰＣＦＩＣＨ、ＰＤＣＣＨのような共通チャネルも、帯域幅の中央に位置づけられる。したがって、仮想ユーザに割り当てられるリソースブロック、すなわちグループＺは、セル帯域幅の端にある周波数領域内で連続する単位で構成される。そして、当該グループＺは、スケジューリングされ、ＯＣＮＧユーザ、すなわち仮想ユーザに送信される。この構成は、図１に示される。例えば基地局またはシステムシミュレータのような送信部により実行されるこの実施形態に従った方法は、図４にて説明される。ステップ４０１で、テストの実行が開始される。ステップ４０２では、セル帯域幅の中央にあるリソースブロックの連続する単位がテスト対象ＵＥに割り当てられ、一方でセル帯域幅の各端にあるリソースブロックの連続する単位がＯＣＮＧユーザとも呼ばれる仮想ユーザに割り当てられるように、テストの中で送信されるべきリソースが周波数領域内で分割される。ステップ４０３で、送信部はその後上記リソースの分割に従って送信する。
【００３１】
代替する具体的な実施形態によると、ＯＣＮＧユーザがセル帯域幅の中央にあるリソースブロックを割り当てられ、一方で、テストユーザがセル送信帯域幅の片方または両方の端にあるリソースブロック（すなわちグループＹ）を連続するように割り当てられるように、リソースが割り当てられる。したがって、仮想ユーザに割り当てられるリソースブロック、すなわちグループＺは、セル帯域幅の中央にある周波数領域内で連続する単位で構成される。当該グループＺは、テストを実行する時にＯＣＮＧユーザ、すなわち仮想ユーザに送信される。帯域幅の中央でＯＣＮＧが送信されるこの構成は、図２に示される。例えば基地局またはシステムシミュレータのような送信部により実行されるこの実施形態に従った方法は、図５で説明される。ステップ５０１で、テストの実行が開始される。ステップ５０２で、セル帯域幅の各端にあるリソースブロックの連続する単位がテスト対象ＵＥに割り当てられ、一方でセル帯域幅の中央にあるリソースブロックの連続する単位はＯＣＮＧユーザとも呼ばれる仮想ユーザに割り当てられるように、テストの中で送信されるべきリソースが周波数領域内で分割される。ステップ５０３で、送信部はその後上記リソースの分割に従って送信する。
【００３２】
テストユーザと仮想ユーザとの間のリソースブロックの割り当ては、例えば全ての利用可能なリソースブロックのうちの５０％がテストユーザに割り当てられるように、固定的であり得る。例えば、１０ＭＨｚの帯域幅の場合に、合計で５０個のＲＢがあり、そのうち２５個のＲＢがテストユーザに割り当てられ得る。研究室でのテストでは、典型的には唯一のユーザがいる。したがって、２５個のＲＢ全てがこのユーザに割り当てられるであろう。２以上のテストユーザの場合、リソースブロックは、ユーザの間で均等に分割され、またはこれらのユーザに送信されるべき情報の種類に応じて異なる割合で分割され得る。テスト対象ユーザに割り当てられるリソースがテストユーザにとって冗長である場合には、ダミーデータが送信され得る。これは、グループＹ内でリソースブロックの数を一定に保ち、テストケースをより安定させる。ダミーデータは、ランダムのシーケンスからなり得る。当該シーケンスは、テスト機器内に記憶され、周期的に仮想ＯＣＮＧユーザに送信される。
【００３３】
ある特定の構成では、各個別のＯＣＮＧユーザにつき割り当てられる１つのリソースブロックがあるであろう。すなわち、グループＺ内のリソースブロックの数と同じくらい多くのＯＣＮＧユーザがいるであろう。上記の例（１０ＭＨｚの帯域幅）では、このルールによると２５のＯＣＮＧユーザ（すなわちＯＣＮＧユーザにつき１つのＲＢ）がいるべきである。低いビットレートのデータ（例えば、音声サービス）が、ＯＣＮＧユーザに送信され得る。別の構成では、グループＺ内のリソースブロックの数よりも少ないＯＣＮＧユーザがいることがあり得る。それにより１つよりも多くのリソースブロックが各ＯＣＮＧユーザに割り当てられる。例えば、上記の例では、我々が５ＯＣＮＧユーザを有する場合に、結果的に５個のリソースブロックが各ＯＣＮＧユーザに割り当てられる。
【００３４】
ある特定の実施形態ではカバレッジを改善するための一部のチャネル上での電力増加に起因して様々なリソースブロック上で電力が異なり得ることに、留意されるべきである。これは、特定のテストケースに依存し得る。
【００３５】
典型的には、ＱＰＳＫがＯＣＮＧ信号の変調のために使用され得る。しかしながら、テストに応じてより高い次数の変調も使用され得る。ある特定の実施形態では、仮想ユーザ６０４に割り当てられるリソースについて使用される変調は、１つ以上のテスト対象ユーザ６０３について使用されるものと同一である。
【００３６】
ＭＩＭＯ（マルチ送信アンテナとマルチ受信アンテナ、送信ダイバーシティ、巡回遅延ダイバーシティ、等）が用いられる場合には、ＯＣＮＧは無相関のソースすなわち無相関の送信アンテナから送信され得る。代わりに、テストの種類に応じて、ＯＣＮＧは、テストユーザへのデータ送信のために使用される同一のＭＩＭＯ送信方式および同一の相関モデルを使用し得る。
【００３７】
図６は、送信部６００を概略的に図示している。送信部６００は、テストが実際のネットワーク内で実行される場合にはｅＮｏｄｅＢのような基地局、またはテストが研究室内で実行される場合にはシステムシミュレータのようなテスト機器であり得る。明瞭にするため、本発明に関連する機能のみがこの図に図示されている。処理部６０１は、特定のルールに従って送信のために使用されるべきリソースを周波数領域内で連続的な単位に分割するように構成される。また、送信器６０２は、テスト対象ＵＥ６０３およびＯＣＮＧユーザとも呼ばれる仮想ユーザ６０４に送信するように構成される。
【００３８】
したがって、本発明の実施形態は以下の有利な点を提供する：
・テストにおける負荷の生成が簡素化され、テストの複雑さが低減される。
・実際のネットワーク内での負荷テストのための上記ルールに基づいて、ｅＮｏｄｅＢのような基地局における負荷の生成が簡素化される。
・適切に定義された負荷の生成は良いＵＥのパフォーマンスと悪いＵＥのパフォーマンスとの間の容易な区別を可能とすることから、セル内の負荷を生成するための一貫したルールがテストの中で使用されるため、パフォーマンス要件が適切に検証されることが可能となる。
【００３９】
本発明の実装が、以下で例示される。これは、本発明の実施形態がＴＳ  ３６．１３３  ｖｅｒｓｉｏｎ  ８．４．０にどのように含まれ得るかの例を構成する。
【００４０】
【表２】
2011524143.tif 000004
【００４１】
【表３】
2011524143.tif 000005
【００４２】
【表４】
2011524143.tif 000006
【００４３】
【表５】
2011524143.tif 000007
【００４４】
【表６】
2011524143.tif 000008
【００４５】
【表７】
2011524143.tif 000009
【００４６】
本発明は、当然ながら、本発明の不可欠な特徴から逸脱することなく、ここで具体的に説明されたものとは別の手段により実行され得る。本実施形態は、あらゆる点で限定するものではなく説明するものとみなされるべきである。
【図１】
2011524143.tif 000010
【図２】
2011524143.tif 000011
【図３】
2011524143.tif 000012
【図４】
2011524143.tif 000013
【図５】
2011524143.tif 000014
【図６】
2011524143.tif 000015
【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
セル内の利用可能なダウンリンク無線リソースの全てまたは一部が送信のために使用される、ＯＦＤＭＡシステム内で１つ以上のテスト対象ＵＥがあるパフォーマンス要件を満たすことを検証するためのＵＥパフォーマンステストを実行するための方法であって、
前記１つ以上のテスト対象ＵＥに割り当てられないダウンリンクリソースを、セルの負荷をエミュレートするための存在しない仮想ＵＥに割り当てることにより、セルの負荷を生成するステップ
を含み、
送信のために使用される前記リソースを周波数領域内で連続する単位（１０１、１０２、１０３、２０１、２０２、２０３）に分割するステップ（３０２、４０２、５０２）であって、１つ以上の前記単位は１つ以上のテスト対象ＵＥ（６０３）に割り当てられるリソースからなり、少なくとも１つの前記単位は前記仮想ＵＥ（６０４）に割り当てられるリソースからなる、前記ステップ
を特徴とする、方法。
【請求項２】
利用可能なセル帯域幅の中央にあるリソースの１つ以上の連続する単位（１０２）が前記１つ以上のテスト対象ＵＥ（６０３）に割り当てられ、前記セル帯域幅の端にあるリソースの１つ以上の連続する単位（１０１）が仮想ＵＥ（６０４）に割り当てられるように、前記リソースを分割する前記ステップを含む、請求項１に記載の方法。
【請求項３】
前記セル帯域幅の端にあるリソースの１つ以上の連続する単位（２０２）が前記１つ以上のテスト対象ＵＥ（６０３）に割り当てられ、利用可能なセル帯域幅の中央にあるリソースの１つ以上の連続する単位（２０１）が仮想ＵＥ（６０４）に割り当てられるように、前記リソースを分割する前記ステップを含む、請求項１に記載の方法。
【請求項４】
前記仮想ユーザに利用可能なリソースの前記連続する単位（１０１、２０１）のうち１つのリソースブロックが前記仮想ＵＥ（６０４）の各々に割り当てられる、請求項１から３のいずれかに記載の方法。
【請求項５】
前記仮想ＵＥ（６０４）に割り当てられるリソースについてＱＰＳＫ変調が使用される、請求項１から４のいずれかに記載の方法。
【請求項６】
ＭＩＭＯが用いられる場合に、前記仮想ＵＥ（６０４）への前記送信は無相関である送信アンテナを介して実行される、請求項１から５のいずれかに記載の方法。
【請求項７】
ＭＩＭＯが用いられる場合に、前記仮想ＵＥ（６０４）への前記送信は、前記１つ以上のテスト対象ＵＥ（６０３）について使用されるものと同一のＭＩＭＯ送信方式を介しおよび同一の相関モデルを用いて実行される、請求項１から５のいずれかに記載の方法。
【請求項８】
前記１つ以上のテスト対象ＵＥ（６０３）および前記仮想ＵＥ（６０４）へのリソースの前記割り当てはそれぞれ固定されている、請求項１から７のいずれかに記載の方法。
【請求項９】
前記１つ以上のテスト対象ＵＥ（６０３）に割り当てられるリソースをＰＤＳＣＨ上で送信するステップを含む、請求項１から８のいずれかに記載の方法。
【請求項１０】
前記方法は、システムシミュレータのようなテスト機器（６００）により実行される、請求項１から９のいずれかに記載の方法。
【請求項１１】
前記方法は、ＯＦＤＭシステムの中で動作可能な基地局（６００）により実行される、請求項１から９のいずれかに記載の方法。
【請求項１２】
利用可能なダウンリンク無線リソースの全てまたは一部が送信のために使用される、ＯＦＤＭＡシステム内でＵＥがあるパフォーマンス要件を満たすことを検証するためのＵＥパフォーマンステストを実行可能なノード（６００）内の構成であって、
前記１つ以上のテスト対象ＵＥに割り当てられないダウンリンクリソースを、セルの負荷をエミュレートするための存在しない仮想ＵＥに割り当てることにより、セルの負荷を生成するステップ
を含み、
送信される前記リソースを周波数領域内で連続する単位（１０１、１０２、１０３、２０１、２０２、２０３）に分割するためのアルゴリズムを実行可能な処理部（６０１）であって、１つ以上の前記単位は１つ以上のテスト対象ＵＥ（６０３）に割り当てられるリソースからなり、少なくとも１つの前記単位は前記仮想ＵＥ（６０４）に割り当てられるリソースからなる、処理部（６０１）、
を特徴とする、構成。
【請求項１３】
前記処理部は、利用可能なセル帯域幅の中央にあるリソースの１つ以上の連続する単位（１０２）が前記１つ以上のテスト対象ＵＥ（６０３）に割り当てられ、前記セル帯域幅の端にあるリソースの１つ以上の連続する単位（１０１）が仮想ＵＥ（６０４）に割り当てられるように前記リソースを分割するように構成される、請求項１４に記載の構成。
【請求項１４】
前記処理部は、前記セル帯域幅の端にあるリソースの１つ以上の連続する単位（２０２）が前記１つ以上のテスト対象ＵＥ（６０３）に割り当てられ、利用可能なセル帯域幅の中央にあるリソースの１つ以上の連続する単位（２０１）が仮想ＵＥ（６０４）に割り当てられるように前記リソースを分割するように構成される、請求項１２に記載の構成。
【請求項１５】
前記処理部（６０１）は、前記仮想ユーザに利用可能なリソースの前記連続する単位（１０１、２０１）のうち１つのリソースブロックを前記仮想ＵＥ（６０４）の各々に割り当てるように構成される、請求項１２から１４のいずれかに記載の構成。
【請求項１６】
前記処理部（６０１）は、前記仮想ＵＥ（６０４）に割り当てられるリソースについてＱＰＳＫ変調を使用するように構成される、請求項１２から１５のいずれかに記載の構成。
【請求項１７】
送信器６０２は、ＭＩＭＯが用いられる場合に無相関である送信アンテナを介して前記仮想ユーザ（６０４）に送信するように構成される、請求項１２から１６のいずれかに記載の構成。
【請求項１８】
送信器６０２は、ＭＩＭＯが用いられる場合に前記１つ以上のテスト対象ＵＥ（６０３）について使用されるものと同一のＭＩＭＯ送信方式を介しおよび同一の相関モデルを用いて前記仮想ユーザ（６０４）に送信するように構成される、請求項１２から１６のいずれかに記載の構成。
【請求項１９】
前記処理部は（６０１）は、固定的な手法で前記１つ以上のテスト対象ＵＥ（６０３）および前記仮想ＵＥ（６０４）にリソースを割り当てるように構成される、請求項１２から１８のいずれかに記載の構成。
【請求項２０】
前記１つ以上のテスト対象ＵＥ（６０３）に割り当てられるリソースをＰＤＳＣＨ上で送信するように構成される送信器（６０２）を含む、請求項１２から１９のいずれかに記載の構成。
【請求項２１】
前記ノード（６００）はシステムシミュレータのようなテスト機器である、請求項１２から２０のいずれかに記載の構成。
【請求項２２】
前記ノード（６００）はＯＦＤＭシステムの中で動作可能な基地局である、請求項１２から２０のいずれかに記載の構成。
【国際調査報告】
2011524143.tif 000016
2011524143.tif 000017
2011524143.tif 000018